(57)【要約】【課題】コンテンツの再生中に、再生するコンテンツを適切に切り替える。【解決手段】再生装置１は、所定の時間間隔でカウンタ値を増加させるカウンタ管理部１０と、第一動画が有する複数のフレームのうち、カウンタ管理部１０のカウンタ値を超えた再生カウンタ値を有するフレームを、順次、再生する再生部１４と、第二動画の再生指示を受け付ける受付部１６と、受付部１６が再生指示を受信した時点で再生部１４が再生している第一動画のフレームに設定された再生カウンタ値を特定カウンタ値として特定し、第二動画が有する複数のフレームのうち、特定カウンタ値に一致する再生カウンタ値を有するフレームから第二動画の再生を再生部１４に開始させる再生制御部１８とを備える。【選択図】図１
2017228906.tif 000002
【特許請求の範囲】
【請求項１】
第一動画及び第二動画を再生する再生装置であって、
前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、
前記再生装置は、
所定の時間間隔でカウンタ値を増加させるカウンタ管理部と、
前記第一動画が有する複数のフレームのうち、前記カウンタ管理部の前記カウンタ値を超えた前記再生カウンタ値を有するフレームを、順次、再生する再生部と、
前記第二動画の再生指示を受け付ける受付部と、
前記受付部が前記再生指示を受信した時点で前記再生部が再生している前記第一動画のフレームに設定された再生カウンタ値を特定カウンタ値として特定し、前記第二動画が有する複数のフレームのうち、前記特定カウンタ値に一致する再生カウンタ値を有するフレームから前記第二動画の再生を前記再生部に開始させる再生制御部とを備える
再生装置。
【請求項２】
前記再生制御部は、
さらに、前記第一動画と同期して前記第二動画の再生を開始するか否かを示す開始位置情報を受信し、
受信した前記開始位置情報が、前記第一動画と同期して前記第二動画の再生を開始することを示す場合に限り、前記特定カウンタ値に一致する再生カウンタ値を有するフレームからの前記第二動画の再生を開始させる
請求項１に記載の再生装置。
【請求項３】
前記第一動画と前記第二動画とは、同一の時間帯に撮像された動画、又は、同一の被写体が撮像された動画である
請求項１又は２に記載の再生装置。
【請求項４】
前記第二動画は、前記第一動画の一部分を拡大した動画である
請求項１〜３のいずれか１項に記載の再生装置。
【請求項５】
第一動画及び第二動画を再生する、複数の再生装置を備える再生システムであって、
前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、
前記複数の再生装置のうちの第一再生装置は、
所定の時間間隔で第一カウンタ値を増加させる第一カウンタ管理部と、
前記第一動画が有する複数のフレームのうち、前記第一カウンタ管理部の前記第一カウンタ値を超えた前記再生カウンタ値を有するフレームを、順次、再生する第一再生部と、
前記第二動画の再生指示を受け付ける受付部と、
前記受付部が前記再生指示を受信した時点で前記第一再生部が再生している前記第一動画のフレームに設定された再生カウンタ値を特定カウンタ値として特定し、特定した前記特定カウンタ値を含む再生信号を送信する送信部とを備え、
前記複数の再生装置のうちの第二再生装置は、
前記第一カウンタ管理部の前記第一カウンタ値と同期して、所定の時間間隔で第二カウンタ値を増加させる第二カウンタ管理部と、
第二再生部と、
前記特定カウンタ値を含む前記再生信号を前記第一再生装置から受信する受信部と、
前記第二動画が有する複数のフレームのうち、前記特定カウンタ値に一致する再生カウンタ値を有するフレームから前記第二動画の再生を前記第二再生部に開始させる再生制御部とを備える
再生システム。
【請求項６】
前記再生制御部は、
さらに、前記第一動画と同期して前記第二動画の再生を開始するか否かを示す開始位置情報を受信し、
受信した前記開始位置情報が、前記第一動画と同期して前記第二動画の再生を開始することを示す場合に限り、前記特定カウンタ値に一致する再生カウンタ値を有するフレームからの前記第二動画の再生を開始させる
請求項５に記載の再生システム。
【請求項７】
前記第一動画と前記第二動画とは、同一の時間帯に撮像された動画、又は、同一の被写体が撮像された動画である
請求項５又は６に記載の再生システム。
【請求項８】
前記第二動画は、前記第一動画の一部分を拡大した動画である
請求項５〜７のいずれか１項に記載の再生システム。
【請求項９】
前記再生システムは、複数の前記第二再生装置を備え、
複数の前記第二再生装置のそれぞれの前記再生制御部が前記第二再生部に再生を開始させる前記第二動画は、前記第一動画が分割された複数の動画それぞれを拡大した部分拡大動画である
請求項５に記載の再生システム。
【請求項１０】
前記第一再生装置は、さらに、
前記第一再生部が再生するフレームを表示する表示画面と、前記表示画面に対する接触操作により前記第二動画の再生指示を受け付ける前記受付部とを有するタッチパネルディスプレイを備え、
前記送信部は、前記第一動画を表示している前記表示画面に対する接触操作を前記受付部が受け付けたときに、前記再生信号を送信する
請求項５〜９のいずれか１項に記載の再生システム。
【請求項１１】
前記第一動画に含まれる複数のフレームは、同一の静止画像である
請求項５〜１０のいずれか１項に記載の再生システム。
【請求項１２】
第一動画及び第二動画を再生する再生装置の制御方法であって、
前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、
前記制御方法は、
所定の時間間隔でカウンタ値を増加させるカウンタ管理ステップと、
前記第一動画が有する複数のフレームのうち、前記カウンタ管理ステップで管理している前記カウンタ値を超えた前記再生カウンタ値を有するフレームを、順次、再生する再生ステップと、
前記第二動画の再生指示を受け付ける受付ステップと、
前記受付ステップで前記再生指示を受信した時点で前記再生ステップで再生している前記第一動画のフレームに設定された再生カウンタ値を特定カウンタ値として特定し、前記第二動画が有する複数のフレームのうち、前記特定カウンタ値に一致する再生カウンタ値を有するフレームから前記第二動画の再生を前記再生ステップで開始させる再生制御ステップとを含む
制御方法。
【請求項１３】
第一動画及び第二動画を再生する、複数の再生装置を備える再生システムの制御方法であって、
前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、
前記複数の再生装置のうちの第一再生装置により、
所定の時間間隔で第一カウンタ値を増加させる第一カウンタ管理ステップと、
前記第一動画が有する複数のフレームのうち、前記第一カウンタ管理ステップで管理している前記第一カウンタ値を超えた前記再生カウンタ値を有するフレームを、順次、再生する第一再生ステップと、
前記第二動画の再生指示を受け付ける受付ステップと、
前記受付ステップで前記再生指示を受信した時点で、前記第一再生ステップで再生している前記第一動画のフレームに設定された再生カウンタ値を特定カウンタ値として特定し、特定した前記特定カウンタ値を含む再生信号を送信する送信ステップとを含み、
前記複数の再生装置のうちの第二再生装置により、
前記第一カウンタ管理ステップで管理している前記第一カウンタ値と同期して、所定の時間間隔で第二カウンタ値を増加させる第二カウンタ管理ステップと、
第二再生ステップと、
前記特定カウンタ値を含む前記再生信号を前記第一再生装置から受信する受信ステップと、
前記第二動画が有する複数のフレームのうち、前記特定カウンタ値に一致する再生カウンタ値を有するフレームから前記第二動画の再生を前記第二再生ステップで開始させる再生制御ステップとを含む
制御方法。
【発明の詳細な説明】
【技術分野】
【０００１】
本発明は、再生装置、再生システム、再生装置の制御方法、及び、再生システムの制御方法に関する。
【背景技術】
【０００２】
動画等を含むコンテンツを再生する再生装置がある。再生装置は、当該再生装置内の記憶装置に記憶している、又は、ネットワーク経由で受信する画像データに基づいて動画等を再生する。また、上記の再生装置が複数設置され、それぞれの再生装置が同一のコンテンツを再生することがある。複数の再生装置により同一のコンテンツが再生されていることで、ユーザの視聴効果をより高くすることができる。
【０００３】
特許文献１は、コンテンツを送信する側の装置（親機）と、コンテンツを受信する側の装置（子機）とで、コンテンツの再生タイミングを同期させる技術を開示する。
【先行技術文献】
【特許文献】
【０００４】
【特許文献１】特許第５４１８００３号公報
【発明の概要】
【発明が解決しようとする課題】
【０００５】
しかしながら、特許文献１が開示する技術では、コンテンツの再生中に、再生するコンテンツをユーザの要望等に応じて切り替える制御について開示がない。
【０００６】
本発明は、上記問題を解決するためになされたものであり、コンテンツの再生中に、再生するコンテンツを適切に切り替える再生装置等を提供することを目的とする。
【課題を解決するための手段】
【０００７】
上記課題を解決するために、本発明の一態様に係る再生装置は、第一動画及び第二動画を再生する再生装置であって、前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、前記再生装置は、所定の時間間隔でカウンタ値を増加させるカウンタ管理部と、前記第一動画が有する複数のフレームのうち、前記カウンタ管理部の前記カウンタ値を超えた前記再生カウンタ値を有するフレームを、順次、再生する再生部と、前記第二動画の再生指示を受け付ける受付部と、前記受付部が前記再生指示を受信した時点で前記再生部が再生している前記第一動画のフレームに設定された再生カウンタ値を特定カウンタ値として特定し、前記第二動画が有する複数のフレームのうち、前記特定カウンタ値に一致する再生カウンタ値を有するフレームから前記第二動画の再生を前記再生部に開始させる再生制御部とを備える。
【０００８】
これによれば、再生装置は、第二動画の再生指示を受けたときに再生している第一動画のフレームを再生カウンタ値により特定し、特定した再生カウンタ値を用いて、上記フレームに対応する第二動画のフレームから、第二動画の再生を開始する。仮に上記において第一動画のフレームの特定を行わないとすれば、第二動画の再生を開始すべきフレームが特定されず、第一動画から第二動画への切り替えの際に、再生する動画の内容が断絶し得る。上記再生装置では、第一動画のフレームの特定を行うことにより、再生する動画の内容を継続させながら、第一動画から第二動画へ切り替えることができる。よって、再生装置は、コンテンツの再生中に、再生するコンテンツを適切に切り替えることができる。
【０００９】
また、前記再生制御部は、さらに、前記第一動画と同期して前記第二動画の再生を開始するか否かを示す開始位置情報を受信し、受信した前記開始位置情報が、前記第一動画と同期して前記第二動画の再生を開始することを示す場合に限り、前記特定カウンタ値に一致する再生カウンタ値を有するフレームからの前記第二動画の再生を開始させてもよい。
【００１０】
これによれば、再生装置は、開始位置情報を用いて比較的簡易な手法により、再生する動画の内容を継続させながら動画の切り替えを行うか、又は、再生する動画の内容を断絶させて新たな動画の再生を行うか、という切り替え態様の変更を行うことができる。
【００１１】
また、前記第一動画と前記第二動画とは、同一の時間帯に撮像された動画、又は、同一の被写体が撮像された動画であってもよい。
【００１２】
これによれば、再生装置が動画を切り替える際に、ユーザが、同一の時間帯に撮像された複数の動画を共通の時間軸で連続的に視聴すること、又は、同一の被写体が撮像された複数の動画を切り替えて視聴することができる利点がある。
【００１３】
また、前記第二動画は、前記第一動画の一部分を拡大した動画であってもよい。
【００１４】
これによれば、再生装置が動画を切り替える際に、ユーザは、第一動画の全体を含む動画から、第一動画の一部の拡大動画へ切り替えて、共通の時間軸で連続的に視聴することができる利点がある。
【００１５】
また、本発明の一態様に係る再生システムは、第一動画及び第二動画を再生する、複数の再生装置を備える再生システムであって、前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、前記複数の再生装置のうちの第一再生装置は、所定の時間間隔で第一カウンタ値を増加させる第一カウンタ管理部と、前記第一動画が有する複数のフレームのうち、前記第一カウンタ管理部の前記第一カウンタ値を超えた前記再生カウンタ値を有するフレームを、順次、再生する第一再生部と、前記第二動画の再生指示を受け付ける受付部と、前記受付部が前記再生指示を受信した時点で前記第一再生部が再生している前記第一動画のフレームに設定された再生カウンタ値を特定カウンタ値として特定し、特定した前記特定カウンタ値を含む再生信号を送信する送信部とを備え、前記複数の再生装置のうちの第二再生装置は、前記第一カウンタ管理部の前記第一カウンタ値と同期して、所定の時間間隔で第二カウンタ値を増加させる第二カウンタ管理部と、第二再生部と、前記特定カウンタ値を含む前記再生信号を前記第一再生装置から受信する受信部と、前記第二動画が有する複数のフレームのうち、前記特定カウンタ値に一致する再生カウンタ値を有するフレームから前記第二動画の再生を前記第二再生部に開始させる再生制御部とを備える。
【００１６】
これによれば、再生システムは、第一再生装置が第二動画の再生指示を受けたときに再生している第一動画のフレームを再生カウンタ値により特定し、特定した再生カウンタ値を用いて、上記フレームに対応する第二動画のフレームから、第二再生装置により第二動画の再生を開始する。仮に上記において第一動画のフレームの特定を行わないとすれば、第二動画の再生を開始すべきフレームが特定されず、第一動画から第二動画への切り替えの際に、再生する動画の内容が断絶し得る。上記再生装置では、第一動画のフレームの特定を行うことにより、再生する動画の内容を継続させながら、第一動画から第二動画へ切り替えることができる。よって、再生装置は、コンテンツの再生中に、再生するコンテンツを適切に切り替えることができる。
【００１７】
また、前記再生制御部は、さらに、前記第一動画と同期して前記第二動画の再生を開始するか否かを示す開始位置情報を受信し、受信した前記開始位置情報が、前記第一動画と同期して前記第二動画の再生を開始することを示す場合に限り、前記特定カウンタ値に一致する再生カウンタ値を有するフレームからの前記第二動画の再生を開始させてもよい。
【００１８】
また、前記第一動画と前記第二動画とは、同一の時間帯に撮像された動画、又は、同一の被写体が撮像された動画であってもよい。
【００１９】
また、前記第二動画は、前記第一動画の一部分を拡大した動画であってもよい。
【００２０】
これらによれば、再生システムは、上記再生装置と同様の効果を奏する。
【００２１】
また、前記再生システムは、複数の前記第二再生装置を備え、複数の前記第二再生装置のそれぞれの前記再生制御部が前記第二再生部に再生を開始させる前記第二動画は、前記第一動画が分割された複数の動画それぞれを拡大した部分拡大動画であってもよい。
【００２２】
これによれば、再生システムは、第一再生装置に対するユーザによる操作に基づいて、複数の第二再生装置に亘る第二動画を再生させることができる。
【００２３】
また、前記第一再生装置は、さらに、前記第一再生部が再生するフレームを表示する表示画面と、前記表示画面に対する接触操作により前記第二動画の再生指示を受け付ける前記受付部とを有するタッチパネルディスプレイを備え、前記送信部は、前記第一動画を表示している前記表示画面に対する接触操作を前記受付部が受け付けたときに、前記再生信号を送信してもよい。
【００２４】
これによれば、再生システムは、第一再生装置が備える第一動画を表示しているタッチパネルディスプレイへの操作により、第二再生装置による第二動画の再生をさせることができる。よって、ユーザによる直観的な操作が実現される。
【００２５】
また、前記第一動画に含まれる複数のフレームは、同一の静止画像であってもよい。
【００２６】
これによれば、再生システムは、静止画像を用いて上記と同様の効果を得られる。
【００２７】
また、本発明の一態様に係る再生装置の制御方法は、第一動画及び第二動画を再生する再生装置の制御方法であって、前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、前記制御方法は、所定の時間間隔でカウンタ値を増加させるカウンタ管理ステップと、前記第一動画が有する複数のフレームのうち、前記カウンタ管理ステップで管理している前記カウンタ値を超えた前記再生カウンタ値を有するフレームを、順次、再生する再生ステップと、前記第二動画の再生指示を受け付ける受付ステップと、前記受付ステップで前記再生指示を受信した時点で前記再生ステップで再生している前記第一動画のフレームに設定された再生カウンタ値を特定カウンタ値として特定し、前記第二動画が有する複数のフレームのうち、前記特定カウンタ値に一致する再生カウンタ値を有するフレームから前記第二動画の再生を前記再生ステップで開始させる再生制御ステップとを含む。
【００２８】
これによれば、上記再生装置と同様の効果を奏する。
【００２９】
また、本発明の一態様に係る再生システムの制御方法は、第一動画及び第二動画を再生する、複数の再生装置を備える再生システムの制御方法であって、前記第一動画及び前記第二動画それぞれに含まれる複数のフレームには、フレームごとに、当該フレームの再生タイミングを示す再生カウンタ値であって、前記第一動画と前記第二動画とで共通の再生カウンタ値が設定されており、前記複数の再生装置のうちの第一再生装置により、所定の時間間隔で第一カウンタ値を増加させる第一カウンタ管理ステップと、前記第一動画が有する複数のフレームのうち、前記第一カウンタ管理ステップで管理している前記第一カウンタ値を超えた前記再生カウンタ値を有するフレームを、順次、再生する第一再生ステップと、前記第二動画の再生指示を受け付ける受付ステップと、前記受付ステップで前記再生指示を受信した時点で、前記第一再生ステップで再生している前記第一動画のフレームに設定された再生カウンタ値を特定カウンタ値として特定し、特定した前記特定カウンタ値を含む再生信号を送信する送信ステップとを含み、前記複数の再生装置のうちの第二再生装置により、前記第一カウンタ管理ステップで管理している前記第一カウンタ値と同期して、所定の時間間隔で第二カウンタ値を増加させる第二カウンタ管理ステップと、第二再生ステップと、前記特定カウンタ値を含む前記再生信号を前記第一再生装置から受信する受信ステップと、前記第二動画が有する複数のフレームのうち、前記特定カウンタ値に一致する再生カウンタ値を有するフレームから前記第二動画の再生を前記第二再生ステップで開始させる再生制御ステップとを含む。
【００３０】
これによれば、上記再生装置と同様の効果を奏する。
【発明の効果】
【００３１】
本発明にかかる再生装置は、再生するコンテンツを適切に切り替えることができる。
【図面の簡単な説明】
【００３２】
【図１】図１は、実施の形態１に係る再生装置の機能ブロックを示すブロック図である。
【図２】図２は、実施の形態１に係る再生装置が表示する画像の第一例を示す説明図である。
【図３】図３は、実施の形態１に係る再生装置が表示する画像の第二例を示す説明図である。
【図４】図４は、実施の形態１に係る再生装置が実行するフレーム再生処理のフロー図である。
【図５】図５は、実施の形態１に係る再生装置が実行する、再生する動画の切り替え処理のフロー図である。
【図６】図６は、実施の形態１に係る再生装置が実行する、再生する動画の切り替え処理の説明図である。
【図７】図７は、実施の形態１の変形例に係る再生指示に含まれる情報を示す説明図である。
【図８】図８は、実施の形態１の変形例に係る再生装置が実行する、再生する動画の切り替え処理のフロー図である。
【図９】図９は、実施の形態１の変形例に係る再生装置が実行する、再生する動画の切り替え処理の説明図である。
【図１０】図１０は、実施の形態２に係る再生システムの機能ブロックを示すブロック図である。
【図１１】図１１は、実施の形態２に係る再生システムが表示する画像の一例を示す説明図である。
【図１２】図１２は、実施の形態２に係る再生システムが実行する、再生する動画の切り替え処理のフロー図である。
【図１３】図１３は、実施の形態２に係る再生指示に含まれる情報を示す説明図である。
【図１４】図１４は、実施の形態２に係る再生システムが実行する、再生する動画の切り替え処理の説明図である。
【図１５】図１５は、実施の形態２の変形例に係る再生システムが表示する第一動画の一例を示す説明図である。
【図１６】図１６は、実施の形態２の変形例に係る再生システムが表示する第二動画の一例を示す説明図である。
【発明を実施するための形態】
【００３３】
以下、実施の形態について、図面を参照しながら具体的に説明する。
【００３４】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。なお、同一の構成要素には同一の符号を付し、説明を省略する場合がある。
【００３５】
（実施の形態１）
本実施の形態において、コンテンツの再生中に、再生するコンテンツを適切に切り替える再生装置などについて説明する。
【００３６】
図１は、本実施の形態に係る再生装置１の機能ブロックを示すブロック図である。図２は、本実施の形態に係る再生装置１が再生する画像の第一例を示す説明図である。図３は、本実施の形態に係る再生装置１が再生する画像の第二例を示す説明図である。
【００３７】
図１に示されるように再生装置１は、カウンタ管理部１０と、コンテンツ取得部１２と、再生部１４と、受付部１６と、再生制御部１８とを備える。また、再生装置１は、表示画面２０に接続されている。
【００３８】
カウンタ管理部１０は、カウンタ値を保有しており、所定の時間間隔でカウンタ値を増加させる処理部である。所定の時間間隔は、例えば、９００００分の１秒（９０ｋＨｚ）である。カウンタ管理部１０は、専用回路又はＦＰＧＡ（Ｆｉｅｌｄ  Ｐｒｏｇｒａｍｍａｂｌｅ  Ｇａｔｅ  Ａｒｒａｙ）等により実現される。カウンタ管理部１０が保有しているカウンタ値のことを現在カウンタ値ともいう。
【００３９】
コンテンツ取得部１２は、再生装置１が再生すべき動画像コンテンツ（以降、単に「動画」ともいう）のデータを取得する処理部である。上記動画は、複数の静止画像フレーム（以降、単にフレームともいう）を順次再生することで動画像を形成する。コンテンツ取得部１２は、取得した動画のデータをメモリ（不図示）に記憶する。コンテンツ取得部１２は、少なくとも２つの動画（第一動画及び第二動画に相当）のデータを取得する。第一動画及び第二動画それぞれに含まれる複数のフレームには、フレームごとに、当該フレームの再生タイミングを示す共通の再生カウンタ値が設定されている。つまり、各動画に含まれるフレームには、時間経過に伴って増加する再生カウンタ値が設定されている。フレームレートが６０ｆｐｓ（ｆｒａｍｅ  ｐｅｒ  ｓｅｃｏｎｄ）、カウンタ値の増加間隔が９００００分の１秒である場合、１フレーム時間がカウンタ値の１５００に相当するので、各動画に含まれるフレームには、時間経過の順に、１５００おきのカウンタ値が設定される。コンテンツ取得部１２は、ＣＰＵ（Ｃｅｎｔｒａｌ  Ｐｒｏｃｅｓｓｉｎｇ  Ｕｎｉｔ）及び通信インタフェース等により実現される。
【００４０】
再生部１４は、動画を再生する処理部である。具体的には、再生部１４は、コンテンツ取得部１２が取得した動画に含まれるフレームを順次再生することで、動画を再生する。また、再生部１４は、再生制御部１８による制御に基づいて、新たな動画の再生を開始する。再生部１４は、再生装置１に接続された表示画面２０に、動画の映像に相当する映像信号を出力することで、動画の映像を表示画面２０に表示させる。再生部１４は、ＣＰＵ等により実現され得る。また、表示画面２０は、例えばタッチパネルディスプレイのディスプレイ部分により実現され、以降ではこの場合を例として説明するが、その他ディスプレイ装置の表示画面であってもよい。
【００４１】
受付部１６は、動画の再生指示を受け付ける処理部である。受付部１６は、再生部１４が現時点で再生している動画とは異なる動画の再生指示を受け付ける。ここで、上記「再生部１４が現時点で再生している動画」が第一動画に相当し、上記「異なる動画」が第二動画に相当する。
【００４２】
受付部１６は、再生指示を受け付けたら、再生信号を再生制御部１８に送信する。再生信号とは、受付部１６が再生指示を受けたことを示す所定の信号である。受付部１６は、例えば、表示画面２０をディスプレイ部分として有するタッチパネルディスプレイのタッチパネル部分により実現され、以降ではこの場合を例として説明するが、その他、操作ボタン、タッチパッドなどであってもよい。
【００４３】
例えば、受付部１６は、表示画面２０に対するユーザＵによる操作を再生指示として受け付ける（図２参照）。図２は、第一動画２２を含む複数の動画を表示している表示画面２０の例を示している。なお、表示画面２０が第一動画２２を含む複数の動画を表示している場合に、表示している動画のうちの第一動画２２に対する操作のみを、第二動画の再生指示として受け付けてもよい。
【００４４】
再生制御部１８は、再生部１４が再生する動画を制御する処理部である。再生制御部１８は、受付部１６が再生指示を受け付けた時点で再生部１４が再生しているフレームに設定された再生カウンタ値を特定カウンタ値として特定し、第二動画が有する複数のフレームのうち、上記特定カウンタ値に一致する再生カウンタ値を有するフレームから第二動画の再生を再生部１４に開始させる。再生制御部１８は、ＣＰＵ等により実現され得る。
【００４５】
例えば、再生制御部１８は、図２に示されるユーザＵの操作がなされた場合、第二動画２４の再生を開始させる（図３参照）。再生制御部１８の処理については、後でフロー図等を参照しながらより詳細に説明する。
【００４６】
なお、コンテンツ取得部１２がフレームを取得するタイミングは、再生部１４により当該フレームが再生されるまでの期間内であればいつでもよい。具体的には、コンテンツ取得部１２は、動画の再生開始の時点において動画に含まれる全フレームを一時に取得してもよいし、動画の再生開始時に先頭から所定数のフレームを取得しておいて、動画を再生しながら順次にフレームを取得してもよい。
【００４７】
なお、第一動画と第二動画との内容については、互いに何らかの関係を有するものとする。例えば、第一動画と第二動画とは、同一の時間帯に撮像された動画であってもよい。この場合、再生制御部１８による制御に基づいて再生部１４が第一動画から第二動画への再生の切り替えを行うと、ユーザＵは、同一の時間帯に撮像された複数の動画を共通の時間軸で連続的に視聴することができる利点がある。また、第一動画と第二動画とは、同一の被写体が撮像された動画であってもよい。この場合、上記切り替えを行うと、ユーザＵは、同一の被写体が撮像された複数の動画を切り替えて視聴することができる利点がある。なお、「同一」の語は、厳密に同じであることを意味する他、実質的に同一と捉えられるものを含む概念である。以降でも同様とする。
【００４８】
さらに、第二動画は、第一動画の一部分を拡大した動画であってもよい。この場合、上記切り替えを行うと、ユーザＵは、例えば第一動画の全体を含む動画から、第一動画の一部の拡大動画へ切り替えて、共通の時間軸で連続的に視聴することができる利点がある。
【００４９】
図４は、本実施の形態に係る再生装置１が実行するフレーム再生処理のフロー図である。より具体的には、図４に示されるフロー図は、再生部１４が第一動画を再生するときのフレーム再生処理を示したものである。
【００５０】
ステップＳ１０１において、再生部１４は、現在カウンタ値を監視しており、現在カウンタ値が、第一動画のフレームのうちの次に再生すべきフレームに設定されている再生カウンタ値を超えたか否かを判定する。現在カウンタ値が、次に再生すべきフレームに設定されている再生カウンタ値を超えたと判定された場合（ステップＳ１０１でＹｅｓ）には、ステップＳ１０２に進み、そうでない場合（ステップＳ１０１でＮｏ）には、ステップＳ１０１を再び実行する。
【００５１】
ステップＳ１０２において、再生部１４は、第一動画のフレームのうちの次に再生すべきフレームを再生する。本ステップを実行するときに既にフレームを再生している場合には、再生しているフレームの再生を中止して、次に再生すべきフレームを再生する。
【００５２】
このようにして、再生部１４は、第一動画に含まれるフレームを当該フレームに設定されている再生カウンタ値に基づいて順次再生することで、第一動画を再生する。
【００５３】
図５は、本実施の形態に係る再生装置１が実行する、再生する動画の切り替え処理のフロー図である。図６は、本実施の形態に係る再生装置１が実行する、再生する動画の切り替え処理の説明図である。図６には、時間経過に伴って再生装置１の各構成要素が実行する処理等が示されている。
【００５４】
図５のフロー図に示される一連の処理は、フレーム再生処理（図４参照）と並行して実行される処理である。図６の（ａ）に示されるフレームは、上記フレーム再生処理によって順次再生されるフレームを示したものである。
【００５５】
ステップＳ２０１において、受付部１６は、第二動画の再生指示を受け付けたか否かを判定する。受付部１６が再生指示を受け付けたと判定した場合（ステップＳ２０１でＹｅｓ、図６の（ｂ）参照）には、ステップＳ２０２へ進み、そうでない場合（ステップＳ２０１でＮｏ）には、ステップＳ２０１を再び実行する。
【００５６】
ステップＳ２０２において、再生制御部１８は、再生部１４が再生しているフレームのカウンタ値を特定カウンタ値として特定する。図６の例では、再生制御部１８は、カウンタ値Ｃ４を特定カウンタ値として特定する。
【００５７】
ステップＳ２０３において、再生制御部１８は、ステップＳ２０２で特定した特定カウンタ値（カウンタ値Ｃ４）が設定された、第二動画のフレームを特定し、このフレームから第二動画の再生を開始するように再生部１４を制御する（図６の（ｃ）及び（ｄ））。
【００５８】
図６の（ｄ）では、第二動画２４の２つの例（１）及び（２）が示されている。例（１）は、第二動画２４が第一動画２２の一部を拡大した動画である場合を示している。この場合、再生部１４は、第二動画２４においてカウンタ値Ｃ４が設定されているフレームＦ１４から、第二動画２４の再生を開始する。すなわち、再生部１４は、第一動画２２の再生中に、第一動画２２のフレームＦ４の一部を拡大したフレームＦ１４から、第二動画２４の再生を開始する。例（１）では、ユーザＵは、自身による操作によって、動画の内容が断絶することなく継続したまま、第一動画２２から、第一動画２２の一部が拡大された第二動画２４に切り替られたように認識することができる。
【００５９】
また、図６の（ｄ）の例（２）では、第二動画２４が、第一動画２２と同一時間帯に同一被写体を別角度から撮影した動画である場合を示している。この場合、再生部１４は、第二動画２４においてカウンタ値Ｃ４が設定されているフレームＦ２４から、第二動画２４の再生を開始する。すなわち、再生部１４は、第一動画２２の再生中に、同一被写体を別角度から撮影したフレームＦ２４から、第二動画２４の再生を開始する。例（２）では、ユーザＵは、自身による操作によって、動画の内容が断絶することなく継続したまま、第一動画２２から、第一動画２２の被写体を別角度から見た第二動画２４に切り替えられたように認識することができる。
【００６０】
なお、上記ステップＳ２０２で再生部１４が再生しているフレームのカウンタ値を特定し、特定したカウンタ値から第二動画２４の再生を開始することを上記で説明した。これに対して、再生制御部１８が仮にカウンタ値を特定しない場合には、第二動画２４の再生を開始するフレームを特定することができないので、例えば第二動画２４の先頭フレームから再生を開始するように再生部１４を制御する。この場合、ユーザＵは、第一動画２２から第二動画２４への切り替え時に動画の内容が継続せずに断絶するので、動画が連続的に切り替わったと感じることがなく視聴効果の向上がなされない。
【００６１】
（実施の形態１の変形例１）
本変形例において、動画の切り替え態様を変更することができる再生装置について説明する。本変形例の再生装置は、第二動画の再生開始位置を再生している第一動画のフレームと同一のカウンタ値を有するフレームからにするか、又は、それとは異なるフレームにするかを、すなわち動画の切り替え態様を、変更することができる。
【００６２】
図７は、本実施の形態の変形例に係る再生信号３０に含まれる情報を示す説明図である。
【００６３】
図７に示される再生信号３０は、開始位置フラグｆを示すフィールド３２を含む。開始位置フラグｆは、１ビットのフラグであり、「１」が、再生部１４が現在再生中のフレームのカウンタ値から第二動画の再生を開始することを示し、「０」が、先頭フレームから第二動画の再生を開始することを示す。開始位置フラグｆを１とするか０とするかは、所定の条件により定められるものとする。例えば、開始位置フラグｆを１とするか０とするかは、第一動画の種別によって定められてもよいし、受付部１６が受け付けるユーザＵによる操作の態様によって定められてもよい。開始位置フラグｆは、開始位置情報に相当する。
【００６４】
なお、開始位置フラグｆは、必ずしも１ビットのフラグである必要はなく、より長いビット長のフィールドにより同じ機能を実現してもよい。また、開始位置フラグｆが「０」のときに先頭フレームの代わりに、予め定められたフレームから第二動画の再生を開始することにしてもよい。
【００６５】
図８は、本変形例に係る再生装置１が実行する、再生する動画の切り替え処理のフロー図である。図９は、本変形例に係る再生装置１が実行する、再生する動画の切り替え処理の説明図である。開始位置フラグｆが１である場合の切り替え処理は、上記図６で説明したものと同じであるので再度の説明を省略する。図９に示される動画の切り替え処理は、開始位置フラグｆが０である場合のものである。
【００６６】
図８に示されるフロー図において、ステップＳ２０１及びＳ２０２は、図５の同名の処理ステップと同じであるので説明を省略する。
【００６７】
ステップＳ２１１において、再生制御部１８は、受付部１６が受け付けた再生信号３０に含まれる開始位置フラグｆを取得し、取得した開始位置フラグｆが１であるか否かを判定する。開始位置フラグｆが１であると判定した場合（ステップＳ２１１でＹｅｓ）には、ステップＳ２１２に進み、そうでない場合（ステップＳ２１１でＮｏ）には、ステップＳ２１３に進む。
【００６８】
ステップＳ２１２において、再生制御部１８は、第二動画のフレームのうち、ステップＳ２０２で特定した特定カウンタ値が設定されたフレームを特定し、このフレームから第二動画の再生を開始するように再生部１４を制御する（図６参照）。つまり、再生制御部１８は、受付部１６から受信した再生指示に含まれる開始位置フラグｆが１である場合、つまり、第一動画と同期して第二動画の再生を開始することを示す場合に限り、特定カウンタ値に一致する再生カウンタ値を有するフレームからの第二動画の再生を開始させる。この場合、ユーザＵは、第一動画から第二動画への切り替え時に動画の内容が継続しているので、動画が適切に切り替わったと認識することができ、視聴効果の向上が図られる。
【００６９】
ステップＳ２１３において、再生制御部１８は、第二動画の特定フレーム（例えば、先頭フレーム）から第二動画の再生を開始するように再生部１４を制御する。この場合、再生部１４は、第二動画の特定フレームから再生を開始する。ユーザＵは、第二動画をその特定の位置から視聴することができる。
【００７０】
図９の（ｂ）では、第二動画の２つの例（１）及び（２）が示されている。例（１）は、図６の例（１）と同様、第二動画が第一動画の一部を拡大した動画である場合を示している。ここで、再生部１４は、先頭フレーム（カウンタ値Ｃ１が設定されたフレームＦ３１）から第二動画の再生を開始する。
【００７１】
また、図９の（ｂ）の例（２）では、図６の例（２）と同様、第二動画が、第一動画と同一時間帯に同一被写体を別角度から撮影した動画である場合を示している。ここで、再生部１４は、先頭フレーム（カウンタ値Ｃ１が設定されたフレームＦ４１）から第二動画の再生を開始する。
【００７２】
このように、本変形例の再生装置１は、再生信号３０内に開始位置フラグｆを設け、この開始位置フラグｆの値の変更という比較的簡易な手法によって上記の２つの切り替え態様の一方から他方への変更をすることができる点に特徴を有する。
【００７３】
以上のように、本実施の形態の再生装置１は、第二動画の再生指示を受けたときに再生している第一動画のフレームを再生カウンタ値により特定し、特定した再生カウンタ値を用いて、上記フレームに対応する第二動画のフレームから、第二動画の再生を開始する。仮に上記において第一動画のフレームの特定を行わないとすれば、第二動画の再生を開始すべきフレームが特定されず、第一動画から第二動画への切り替えの際に、再生する動画の内容が断絶し得る。上記再生装置では、第一動画のフレームの特定を行うことにより、再生する動画の内容を継続させながら、第一動画から第二動画へ切り替えることができる。よって、再生装置は、コンテンツの再生中に、再生するコンテンツを適切に切り替えることができる。
【００７４】
また、開始位置情報を用いて比較的簡易な手法により、再生する動画の内容を継続させながら動画の切り替えを行うか、又は、再生する動画の内容を断絶させて新たな動画の再生を行うか、という切り替え態様の変更を行うことができる。
【００７５】
また、再生装置が動画を切り替える際に、ユーザＵが、同一の時間帯に撮像された複数の動画を共通の時間軸で連続的に視聴すること、又は、同一の被写体が撮像された複数の動画を切り替えて視聴することができる利点がある。
【００７６】
また、再生装置が動画を切り替える際に、ユーザＵは、第一動画の全体を含む動画から、第一動画の一部の拡大動画へ切り替えて、共通の時間軸で連続的に視聴することができる利点がある。
【００７７】
（実施の形態２）
本実施の形態において、コンテンツの再生中に、再生するコンテンツを適切に切り替える再生システムなどについて説明する。本実施の形態における再生システムは、特に、複数の再生装置間で同期をとりながら再生する動画を切り替えることに特徴を有する。
【００７８】
図１０は、本実施の形態に係る再生システム２の機能ブロックを示すブロック図である。
【００７９】
図１０に示されるように、再生システム２は、再生装置３及び４を備える。再生システム２は、再生装置４を複数備えてもよい。
【００８０】
再生装置３は、カウンタ管理部１０と、コンテンツ取得部１２と、受付部１６と、再生部４０と、送信部４２とを備える。また、再生装置３には表示画面４６が接続されている。再生装置３は、例えば、ユーザＵの手元に置かれるコンピュータ、タブレット又はスマートフォンなどである。なお、再生装置３は第一再生装置に相当し、再生装置３のカウンタ管理部１０は第一カウンタ管理部に相当する。
【００８１】
再生装置４は、カウンタ管理部１０と、コンテンツ取得部１２と、受信部５０と、再生制御部５２と、再生部５４とを備える。また、再生装置４には表示画面５６が接続されている。再生装置４は、例えば、公共スペースに配置され得る比較的大型の表示装置などのためのものである。なお、再生装置４は第二再生装置に相当し、再生装置４のカウンタ管理部１０は第二カウンタ管理部に相当する。
【００８２】
再生装置３及び４それぞれが備える、カウンタ管理部１０、コンテンツ取得部１２及び受付部１６については、実施の形態１の再生装置１が備えるものと異なる部分のみ説明する。
【００８３】
再生装置３のコンテンツ取得部１２は、再生装置３が再生すべき動画を取得する処理部であり、少なくとも１つの動画（第一動画に相当）を取得する。
【００８４】
再生部４０は、動画を再生する処理部である。具体的には、再生部４０は、再生装置３のコンテンツ取得部１２が取得した動画に含まれるフレームを順次再生することで、動画を再生する。再生部４０は、再生装置３に接続された表示画面４６に、動画の映像に相当する映像信号を出力することで、動画の映像を表示画面４６に表示させる。なお、再生部４０は、第一再生部に相当する。
【００８５】
送信部４２は、第二動画の再生信号を送信する処理部である。送信部４２は、受付部１６が再生指示を受け付けた時点で再生部４０が再生しているフレームに設定された再生カウンタ値を特定カウンタ値として特定し、特定した特定カウンタ値を含む再生信号を送信する。なお、再生信号は、実施の形態１の変形例１と同様に、開始位置フラグｆを含んでもよい。送信部４２は、通信インタフェース及びＣＰＵ等により実現され得る。
【００８６】
再生装置４のコンテンツ取得部１２は、再生装置４が再生すべき動画を取得する処理部であり、少なくとも１つの動画（第二動画に相当）を取得する。
【００８７】
受信部５０は、送信部４２が送信した再生信号を受信する処理部である。受信部５０は、通信インタフェース及びＣＰＵ等により実現され得る。
【００８８】
再生部５４は、動画を再生する処理部である。具体的には、再生部５４は、再生装置４のコンテンツ取得部１２が取得した動画に含まれるフレームを順次再生することで、動画を再生する。再生部５４は、再生装置４に接続された表示画面５６に、動画の映像に相当する映像信号を出力することで、動画の映像を表示画面５６に表示させる。なお、再生部５４は、第二再生部に相当する。
【００８９】
再生制御部５２は、再生部５４が再生する動画を制御する処理部である。より具体的には、再生制御部５２は、受信部５０が再生信号を受信したら、受信した再生信号に含まれている特定カウンタ値を取得し、第二動画が有する複数のフレームのうち、上記特定カウンタ値に一致する再生カウンタ値を有するフレームから第二動画の再生を再生部５４に開始させる。
【００９０】
なお、第一動画と第二動画との内容については、実施の形態１と同様、互いに何らかの関係を有するものとする。
【００９１】
なお、再生装置３及び４それぞれのカウンタ管理部１０が保有しているカウンタ値は、互いに同期して増加するように制御されているとする。カウンタ値を同期して増加させる手法は公知技術により実現され得る。例えば、再生装置３及び４のうちの１台が、自装置のカウンタ値を他装置に定期的に送信することで実現され得る。
【００９２】
なお、表示画面４６及び５６それぞれは、表示画面２０と同様のハードウェアにより実現され得る。
【００９３】
図１１は、本実施の形態に係る再生システム２が表示する画像の一例を示す説明図である。
【００９４】
再生システム２は、それぞれが再生装置４である複数の再生装置４Ａ、４Ｂ、４Ｃ及び４Ｄを備えている。複数の再生装置４Ａ等の再生部５４Ａ、５４Ｂ、５４Ｃ及び５４Ｄは、それぞれ、表示画面５６Ａ、５６Ｂ、５６Ｃ及び５６Ｄに動画の映像を表示させる。
【００９５】
複数の再生装置４Ａ等それぞれのコンテンツ取得部１２は、第一動画を縦方向に２つ、横方向に２つに分割して拡大した複数の第二動画のそれぞれを保有しており、複数の再生装置４Ａ等が同期して動画を再生することで、４つの表示画面５６Ａ等に亘って１つの動画２４Ａを再生させる。
【００９６】
なお、再生装置４が４個である例を示しているが、再生装置４の数は、２以上、いくつであってもよい。
【００９７】
図１２は、本実施の形態に係る再生システム２が実行する、再生する動画の切り替え処理のフロー図である。図１３は、本実施の形態に係る再生信号に含まれる情報を示す説明図である。図１４は、本実施の形態に係る再生システム２が実行する、再生する動画の切り替え処理の説明図である。
【００９８】
図１２に示されるフロー図において、ステップＳ２０１、Ｓ２０２及びＳ３０１は、再生装置３が実行する処理であり、このうちステップＳ２０１及びＳ２０２は、図８において再生装置１が実行する処理ステップと同じであるので説明を省略する。
【００９９】
ステップＳ３０１において、再生装置３の送信部４２は、ステップＳ２０２で特定した特定カウンタ値を含む再生信号を送信する（図１４の（ｂ）参照）。この再生信号は、図１３に示されるように、特定カウンタ値を示すフィールド３８を有する再生信号３６である。
【０１００】
図１２に示されるフロー図において、ステップＳ３０２、Ｓ２１１〜Ｓ２１３は、再生装置４が実行する処理であり、このうちステップＳ２１１〜Ｓ２１３は、図８において再生装置１が実行する処理ステップと同じであるので説明を省略する。
【０１０１】
ステップＳ３０２において、再生装置４は、ステップＳ３０２で再生装置３が送信した、特定カウンタ値を含む再生信号３６を受信する（図１４の（ｃ）参照）。後に、この特定カウンタ値を用いて、特定カウンタ値が設定されたフレームからの第二動画の再生が開始される（ステップＳ２１２）。
【０１０２】
なお、第一動画の代わりに、静止画を用いることも可能である。第一動画の代わりに静止画を用いる場合の例を以降の変形例において説明する。
【０１０３】
以上のように、複数の再生装置４Ａ、４Ｂ、４Ｃ及び４Ｄのそれぞれが第二動画の再生を行うことで、４つの表示画面５６Ａ等に亘って１つの動画２４Ａが再生される。これにより、１つの表示画面のサイズより大きい、４つの表示画面のサイズの動画２４ＡをユーザＵに視認させることができる。
【０１０４】
（実施の形態２の変形例）
本変形例では、第一動画の代わりに静止画を用いる場合の例を説明する。
【０１０５】
図１５は、本変形例に係る再生システム２が表示する、静止画である画像２２Ａの一例を示す説明図である。画像２２Ａは、表示画面４６に表示されたものであり、野球場を上から撮影した画像、又は、そのイラスト画像などである。
【０１０６】
また、画像２２Ａには、「ピッチャー」、「キャッチャー」及び「バッター」というように、野球のプレイヤを示す文字列を含む画像が付されている。この画像に対するユーザＵによるタッチ操作がなされると、このタッチ操作は、受付部１６により受け付けられる。その後、送信部４２は、この時点でカウンタ管理部１０が管理しているカウンタ値を特定カウンタ値として特定し、特定した特定カウンタ値を含む再生信号を再生装置４に送信する。
【０１０７】
図１６は、本変形例に係る再生システム２が表示する動画２４Ａの一例を示す説明図である。
【０１０８】
図１６の（ａ）、（ｂ）及び（ｃ）は、それぞれ、図１５の画像２２Ａ内の「ピッチャー」、「キャッチャー」及び「バッター」の画像に対するタッチ操作がなされた場合に複数の再生装置４Ａ等により再生される動画２４Ａを示している。
【０１０９】
以上のように、再生システム２では、動画でない画像２２Ａに対するタッチ操作に基づいて、複数の動画から選択される動画２４Ａを複数の表示画面５６Ａ等に亘って表示することができる。
【０１１０】
以上のように、本実施の形態の再生システムは、第一再生装置が第二動画の再生指示を受けたときに再生している第一動画のフレームを再生カウンタ値により特定し、特定した再生カウンタ値を用いて、上記フレームに対応する第二動画のフレームから、第二再生装置により第二動画の再生を開始する。仮に上記において第一動画のフレームの特定を行わないとすれば、第二動画の再生を開始すべきフレームが特定されず、第一動画から第二動画への切り替えの際に、再生する動画の内容が断絶し得る。上記再生装置では、第一動画のフレームの特定を行うことにより、再生する動画の内容を継続させながら、第一動画から第二動画へ切り替えることができる。よって、再生装置は、コンテンツの再生中に、再生するコンテンツを適切に切り替えることができる。
【０１１１】
また、再生システムは、第一再生装置に対するユーザによる操作に基づいて、複数の第二再生装置に亘る第二動画を再生させることができる。
【０１１２】
また、再生システムは、第一再生装置が備える第一動画を表示しているタッチパネルディスプレイへの操作により、第二再生装置による第二動画の再生をさせることができる。よって、ユーザによる直観的な操作が実現される。
【０１１３】
また、再生システムは、静止画像を用いて上記と同様の効果を得られる。
【０１１４】
以上、本発明の再生装置、及び、再生システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１１５】
本発明は、コンテンツの再生中に、再生するコンテンツを適切に切り替える再生装置及び再生システムに利用可能である。具体的には、公共スペース又は商業施設などにおいて複数設置され、画像等を再生する再生装置などに利用可能である。
【符号の説明】
【０１１６】
１、３、４、４Ａ、４Ｂ、４Ｃ、４Ｄ    再生装置
２    再生システム
１０    カウンタ管理部
１２    コンテンツ取得部
１４、４０、５４、５４Ａ、５４Ｂ、５４Ｃ、５４Ｄ    再生部
１８、５２    再生制御部
１６    受付部
２０、４６、５６、５６Ａ、５６Ｂ、５６Ｃ、５６Ｄ    表示画面
２２    第一動画
２２Ａ    画像
２４    第二動画
２４Ａ    動画
３０、３６    再生信号
３２、３８    フィールド
４２    送信部
５０    受信部
Ｃ１、Ｃ２、Ｃ３、Ｃ４、Ｃ５    カウンタ値
Ｆ１、Ｆ２、Ｆ３、Ｆ４、Ｆ５、Ｆ１４、Ｆ１５、Ｆ２４、Ｆ２５、Ｆ３１、Ｆ３２、Ｆ４１、Ｆ４２    フレーム
Ｕ    ユーザ
【図１】
2017228906.tif 000003
【図２】
2017228906.tif 000004
【図３】
2017228906.tif 000005
【図４】
2017228906.tif 000006
【図５】
2017228906.tif 000007
【図６】
2017228906.tif 000008
【図７】
2017228906.tif 000009
【図８】
2017228906.tif 000010
【図９】
2017228906.tif 000011
【図１０】
2017228906.tif 000012
【図１１】
2017228906.tif 000013
【図１２】
2017228906.tif 000014
【図１３】
2017228906.tif 000015
【図１４】
2017228906.tif 000016
【図１５】
2017228906.tif 000017
【図１６】
2017228906.tif 000018